(57)【特許請求の範囲】
【請求項１】
コンピュータ機器の電源接続指示を自動で行う電源接続指示システムであって、
コンピュータ機器の型名の追加・削除情報を入力する入力装置と、
各コンピュータ機器が持つ電源プラグおよび電源プラグの接続規則情報を記憶している第１種ライブラリを備えた記憶装置と、
前記コンピュータ機器の型名の追加・削除情報に従い、複数のコンピュータ機器同士を接続して構築されるコンピュータシステムを構成するコンピュータ機器の型名一覧を特定する型名情報を生成する製品入力手段と、前記型名情報に記載されている各コンピュータ機器の電源プラグの規格および個数情報を前記第1種ライブラリから抽出して電源プラグ情報を生成する電源プラグ展開手段と、前記電源プラグの接続規則情報を前記第１種ライブラリから取得して該接続規則情報を基に前記電源プラグ情報に記載されている電源プラグの接続先を決定し、決定した接続先の情報を前記電源プラグ情報に追加して電源接続情報を生成する電源接続手段とを備えたデータ処理装置と、
を有し、
前記データ処理装置は、生成された前記型名情報と前記電源プラグ情報と前記電源接続情報とを含む電源接続データをディスプレイ装置や印刷装置の出力装置に出力することを特徴とする電源接続指示システム。
【請求項２】
コンピュータ機器の電源接続指示を自動で行う電源接続指示システムであって、
コンピュータ機器の型名の追加・削除情報を入力する入力装置と、
各コンピュータ機器が持つ電源プラグおよび電源プラグの接続規則情報を記憶している第１種ライブラリと、電源プラグを所有する機器の電流や消費電力を含む電源規格情報を記載している第２種ライブラリとを備えた記憶装置と、
前記コンピュータ機器の型名の追加・削除情報に従い、複数のコンピュータ機器同士を接続して構築されるコンピュータシステムを構成するコンピュータ機器の型名一覧を特定する型名情報を生成する製品入力手段と、前記型名情報に記載されている各コンピュータ機器の電源プラグの規格および個数情報を前記第1種ライブラリから抽出して電源プラグ情報を生成する電源プラグ展開手段と、前記電源プラグの接続規則情報を前記第１種ライブラリから取得して該接続規則情報を基に前記電源プラグ情報に記載されている電源プラグの接続先を決定する電源接続手段と、前記電源プラグ情報に記載されているコンピュータ機器の電源規格情報を前記第２種ライブラリの電源規格情報から取得する電源規格展開手段と、を備えたデータ処理装置と、
を有し、
前記電源接続手段と電源規格展開手段とは、それぞれ決定した電源プラグの接続先の情報および前記電源接続規格情報をそれぞれ前記プラグ情報に追加して電源接続規格情報を生成し、
前記データ処理装置は、生成された前記型名情報と前記電源プラグ情報と前記電源接続規格情報とを含む電源接続データをディスプレイ装置や印刷装置等の出力装置に出力することを特徴とする電源接続指示システム。
【発明の詳細な説明】
【０００１】
【発明の属する技術分野】
本発明は、プログラムに基づき作成したデータを出力する制御データ作成技術に係り、特にコンピュータ機器の電源接続指示を効率よく行えコンピュータ機器の電源接続指示のミスを防止できる電源接続指示システムおよび電源接続指示方法に関する。
【０００２】
【従来の技術】
プログラムに基づき作成したデータを出力する従来の制御データ作成技術としては、例えば、特開平６−１７５８３３号公報に記載のものがある。すなわち、従来技術は、複数のプログラム部品のそれぞれに対応して絵部品を割り付けて部品ライブラリとして記憶しておき、上記絵部品を選択して表示画面上に表示するとともに、それらの接続関係も表示可能とし、この接続関係に従って接続された絵部品全体の表示パターンに対応して上記プログラム部品を接続するようにして一連のプログラムを作成し、この結果得られたプログラムの処理に基づくデータを作成して出力するものである。また、複数のプログラム部品のそれぞれに対応して絵部品を割り付けて部品ライブラリとして記憶しておき、上記絵部品を選択して表示画面上に表示するとともに、それらの接続関係も表示可能とし、各絵部品は、上記プログラム部品を構成する部品処理プログラムが、絵部品がタッチパネルによるタッチ又はカーソル指定等で指定されることにより絵部品の内容に相当するデータを出力するデータ出力プログラムを有するタイプのものと、組み合わされた他の絵部品のデータ出力プログラムからのデータを取り込んで加工する加工プログラムと加工後のデータに基づき表示内容を変更する絵制御プログラムおよびこの変更された表示内容に対応するデータを外部に出力するデータ出力プログラムを有するタイプのものから成り、各上記データ出力プログラムにより作成されたデータを制御データとして用いるようになっている。また、複数のプログラム部品のそれぞれに対応して絵部品を割り付けて部品ライブラリとして記憶しておき、上記絵部品を選択して表示画面上に表示するとともに、それらの接続関係も表示可能とし、この接続関係に従って接続された絵部品全体の表示パターンに対応して上記プログラム部品を接続するようにして一連のプログラムを作成し、この結果得られたプログラムの処理に基づくデータを作成して出力可能とするとともに、上記絵部品を表示画面上に描いて作成するようになっている。これにより、プログラミング言語を書かないでディジタル制御装置の制御データとしてのマンマシン・ソフトウェアが作成でき、大幅な工期短縮が図れ、コストダウンにつながること、また、使用する部品をライブラリ化して用いるので、プログラムの再利用効率が高いと共に、共通部品の使用でプログラマのレベルの違いによるプログラムの出来映えの差異がなくなり品質が向上すること、画面作成時間を大幅に短縮できること、絵部品を新規作成する場合、絵部品を表示画面上に描いて作成するようにしているので、絵部品を必要に応じて増加できることが開示されている。
【０００３】
【発明が解決しようとする課題】
しかしながら、従来技術は、電源接続指示をグラフィックエディタによるイメージで行うため、以下に掲げる問題点があった。
【０００４】
第１の問題点は、グラフィックエディタでの接続指示は効率が悪いことである。その理由は、グラフィックエディタでの接続指示は操作が複雑であるからである。
【０００５】
そして第２の問題点は、グラフィックエディタでの接続指示は接続ミスが発生することである。その理由は、グラフィックエディタでの接続指示は人が接続先を決定するため、装置規格の記憶違いなどにより、誤った接続先を選択する可能性があるからである。
【０００６】
本発明は斯かる問題点を鑑みてなされたものであり、その目的とするところは、コンピュータ機器の電源接続指示を効率よく行えコンピュータ機器の電源接続指示のミスを防止できる電源接続指示システムおよび電源接続指示方法を提供する点にある。
【０００７】
【課題を解決するための手段】
請求項１に記載の発明の要旨は、コンピュータ機器の電源接続指示を自動で行う電源接続指示システムであって、コンピュータ機器の型名の追加・削除情報を入力する入力装置と、各コンピュータ機器が持つ電源プラグおよび電源プラグの接続規則情報を記憶している第１種ライブラリを備えた記憶装置と、前記コンピュータ機器の型名の追加・削除情報に従い、複数のコンピュータ機器同士を接続して構築されるコンピュータシステムを構成するコンピュータ機器の型名一覧を特定する型名情報を生成する製品入力手段と、前記型名情報に記載されている各コンピュータ機器の電源プラグの規格および個数情報を前記第1種ライブラリから抽出して電源プラグ情報を生成する電源プラグ展開手段と、前記電源プラグの接続規則情報を前記第１種ライブラリから取得して該接続規則情報を基に前記電源プラグ情報に記載されている電源プラグの接続先を決定し、決定した接続先の情報を前記電源プラグ情報に追加して電源接続情報を生成する電源接続手段とを備えたデータ処理装置と、を有し、前記データ処理装置は、生成された前記型名情報と前記電源プラグ情報と前記電源接続情報とを含む電源接続データをディスプレイ装置や印刷装置の出力装置に出力することを特徴とする電源接続指示システムに存する。
請求項２に記載の発明の要旨は、コンピュータ機器の電源接続指示を自動で行う電源接続指示システムであって、コンピュータ機器の型名の追加・削除情報を入力する入力装置と、各コンピュータ機器が持つ電源プラグおよび電源プラグの接続規則情報を記憶している第１種ライブラリと、電源プラグを所有する機器の電流や消費電力を含む電源規格情報を記載している第２種ライブラリとを備えた記憶装置と、前記コンピュータ機器の型名の追加・削除情報に従い、複数のコンピュータ機器同士を接続して構築されるコンピュータシステムを構成するコンピュータ機器の型名一覧を特定する型名情報を生成する製品入力手段と、前記型名情報に記載されている各コンピュータ機器の電源プラグの規格および個数情報を前記第1種ライブラリから抽出して電源プラグ情報を生成する電源プラグ展開手段と、前記電源プラグの接続規則情報を前記第１種ライブラリから取得して該接続規則情報を基に前記電源プラグ情報に記載されている電源プラグの接続先を決定する電源接続手段と、前記電源プラグ情報に記載されているコンピュータ機器の電源規格情報を前記第２種ライブラリの電源規格情報から取得する電源規格展開手段と、を備えたデータ処理装置と、を有し、前記電源接続手段と電源規格展開手段とは、それぞれ決定した電源プラグの接続先の情報および前記電源接続規格情報をそれぞれ前記プラグ情報に追加して電源接続規格情報を生成し、前記データ処理装置は、生成された前記型名情報と前記電源プラグ情報と前記電源接続規格情報とを含む電源接続データをディスプレイ装置や印刷装置等の出力装置に出力することを特徴とする電源接続指示システムに存する。
【０００８】
【発明の実施の形態】
以下に示す各実施の形態の特徴は、複数のコンピュータ機器同士を接続して構築するコンピュータシステムについて電源接続指示を行うための電源接続データを作成する場合に、コンピュータシステムを構成するコンピュータ機器の一覧を基にこれらのコンピュータ機器が有する全ての電源プラグを自動的に抽出するとともに、抽出された電源プラグの接続先を自動的に選択してコンピュータ機器のそれぞれについて電源接続指示を行うことにある。以下、本発明の実施の形態を図面に基づいて詳細に説明する。
【０００９】
（第１の実施の形態）
図１は本発明の第１の実施の形態にかかる電源接続指示システムを説明するための機能ブロック図である。図１において、１は入力装置、２はデータ処理装置、２１１は製品入力手段、２１２は電源プラグ展開手段、２１３は電源接続手段、２２は電源接続データ、２２１は型名情報、２２２は電源プラグ情報、２２３は電源接続情報、３は記憶装置、３１は第１種ライブラリ、４は出力装置を示している。図１を参照すると、本実施の形態の電源接続指示システムは、キーボード等の入力装置１、プログラム制御により動作するデータ処理装置２、ディスク装置等の記憶装置３、ディスプレイ装置や印刷装置等の出力装置４を備えている。
【００１０】
記憶装置３は第１種ライブラリ３１を備えている。第１種ライブラリ３１には、各コンピュータ機器が持つ電源プラグおよび電源プラグの接続先の情報が記憶されている。具体的には、表１に示すように、コンピュータ機器の製品型名（表中の製品型名）毎の機器の種別（表中の「種別」）、製品概要（表中の「製品概要」）、機器の所有する電源プラグの規格（表中の「電源プラグ」）、数（表中の「電源数」）と接続規則（表中の「接続規則（接続先種別）」）を記憶している。
【００１１】
【表１】
0003686780.tif 000002
【００１２】
例えば、製品型名Ａ３１８６のコンピュータ機器については、製品概要はキャビネット装置、種別はＣＡＢＩ、電源プラグの規格はＬ６−３０、数は１、接続規則はＵＰＳといった情報を第１種ライブラリ３１として記憶している。
【００１３】
データ処理装置２は、製品入力手段２１１、電源プラグ展開手段２１２、電源接続手段２１３、電源接続データ２２を備えている。電源接続データ２２は、型名情報２２１、電源プラグ情報２２２、電源接続情報２２３を備えている。
【００１４】
製品入力手段２１１は、入力装置１から入力された製品の追加・削除情報に従って、コンピュータシステムを構成するコンピュータ機器の型名一覧を特定する型名情報２２１を作成する。
【００１５】
電源プラグ展開手段２１２は、接続指示を行うべきコンピュータ機器の型名一覧が記載されている型名情報２２１を受け取り、型名情報２２１に記載されている各コンピュータ機器に設けられている電源プラグを第１種ライブラリ３１から抽出するとともに、抽出した電源プラグを電源プラグ情報２２２に記載する。換言すれば、電源プラグ展開手段２１２は、型名情報２２１に記載されているコンピュータ機器全てについて第１種ライブラリ３１を走査し、そのコンピュータ機器に設けられている電源プラグの規格および個数情報を抽出し、その結果を電源プラグ情報２２２に記載する。
【００１６】
型名情報２２１は、例えば、表２に示すように、製品型名、数量、製品概要の諸データを備えている。具体的には、製品型名Ａ３１８６のコンピュータ機器については、数量は１、製品概要はキャビネット装置といった情報を型名情報２２１として記憶している。
【００１７】
【表２】
0003686780.tif 000003
【００１８】
電源プラグ情報２２２には型名情報２２１に記載されているコンピュータ機器の所有する電源プラグの一覧が記載されている。
【００１９】
電源接続手段２１３は、電源プラグ展開手段２１２によって生成された電源プラグ情報２２２に記載されている電源プラグの接続規則情報を第１種ライブラリ３１から取得して電源プラグの接続先を決定するとともに、決定した接続先の情報を電源プラグ情報２２２に追加して電源接続情報２２３を完成する。換言すれば、電源接続手段２１３は、第１種ライブラリ３１から供給された電源プラグの接続規則情報から、電源プラグ展開手段２１２で生成された電源プラグ情報２２２に記載されている電源プラグの接続先を決定し、決定した接続先のロケーション、機器名、型名を記載して、電源接続情報２２３を完成する。
【００２０】
これにより、コンピュータシステムを構成する機器の型名の一覧、すなわち、型名情報２２１さえあれば、各コンピュータ機器が有する電源プラグの規格や個数の知識がなくても、容易にコンピュータシステムの電源接続指示ができる。
【００２１】
電源接続情報２２３には、型名情報２２１に記載されているコンピュータ機器について、そのコンピュータ機器の所有する電源プラグおよびその接続先の情報が記載されている。
【００２２】
【表３】
0003686780.tif 000004
【００２３】
具体的には、表３に示すように、型名情報２２１に記載されている製品型名Ａ３１８６のコンピュータ機器（製品概要＝キャビネット装置）の所有する電源プラグ規格はＬ６−３０、電源プラグの接続先は、ロケーション＝Ｃａｂｉ１、製品型名＝Ｃ３３４３、製品概要＝ＵＰＳ装置である。
【００２４】
次に図１および図２を参照して、本実施の形態の電源接続指示システムの動作（電源接続指示方法）について詳細に説明する。図２は本発明の第１の実施の形態にかかる電源接続指示方法を説明するためのフローチャートである。まず、製品入力手段２１１は入力装置１から入力された情報を得て、型名情報２２１（型名一覧）を作成する（ステップＳ１０１）。
【００２５】
電源プラグ展開手段２１２は、型名情報２２１から型名を１つ読み込み、第１種ライブラリ３１からその機器の電源プラグの情報を検索する（ステップＳ１０２）。第１種ライブラリ３１の検索の結果、機器に電源プラグが存在したら（ステップＳ１０３のｙ）、その電源プラグを電源プラグ情報２２２に書き出す（ステップＳ１０４）。
【００２６】
読み込んだ機器の全ての電源プラグが電源プラグ情報２２２に展開されたら（ステップＳ１０３のｙ→ステップＳ１０４のループ、およびステップＳ１０３のｎ）、型名情報２２１から次の機器の型名を読み込み、同様に電源プラグの展開を行う（ステップＳ１０５のｙ→Ｓ１０１〜Ｓ１０４）。
【００２７】
型名情報２２１の全ての機器が読み込まれたら（ステップＳ１０５のｎ）、電源接続手段２１３は電源プラグ情報２２２から電源プラグを１つ読み込み（ステップＳ１０６）、第１種ライブラリ３１からその電源プラグの接続規則情報を取得してその電源プラグの接続先を決定し（ステップＳ１０７）、決定した接続先のロケーション、型名、機器名を電源プラグ情報２２２に記載する（ステップＳ１０８）。
【００２８】
接続規則情報にはその電源プラグが接続可能な機器の種別が記載されており、第１種ライブラリ３１においてその種別に該当する機器が接続先となる。例えば、表１において、Ａ３１８６（キャビネット装置）の接続規則は種別＝ＵＰＳとなっているので、Ａ３１８６の接続先は種別がＵＰＳであるＣ３３４３（ＵＰＳ装置）となる（表３参照）。電源接続手段２１３は、電源プラグ情報２２２に記載されている全ての電源プラグを読み込み、接続先を記載して電源接続情報２２３を完成する（ステップＳ１０６→ステップＳ１０７→ステップＳ１０８→ステップＳ１０９のｙ→ステップＳ１０６→…）。最後に、作成された型名情報２２１と電源プラグ情報２２２と電源接続情報２２３とを含む電源接続データ２２を、出力装置４に出力する。
【００２９】
以上説明したように第１の実施の形態によれば以下に掲げる効果を奏する。まず第１の効果は、コンピュータ機器の電源接続指示を効率よく行えることである。その理由は、コンピュータ機器の電源プラグの抽出から接続先の決定までの電源接続指示の全ての作業が、自動で行われるからである。そして第２の効果は、コンピュータ機器の電源接続指示のミスが発生しにくいことである。その理由は、全ての電源プラグが自動で抽出されるため指示の漏れがないことと、接続先の自動決定により接続先の選択ミスを防ぐことができるからである。
【００３０】
（第２の実施の形態）
次に、本発明の他の実施の形態について図面を参照して詳細に説明する。図３は本発明の第２の実施の形態にかかる電源接続指示システムを説明するための機能ブロック図である。図３において、１は入力装置、２はデータ処理装置、２１１は製品入力手段、２１２は電源プラグ展開手段、２１３は電源接続手段、２１４は電源規格展開手段、２２は電源接続データ、２２１は型名情報、２２２は電源プラグ情報、２２４は電源接続規格情報、３は記憶装置、３１は第１種ライブラリ、３２は第２種ライブラリ、４は出力装置を示している。図３を参照すると、本実施の形態は、第２種ライブラリ３２と電源規格展開手段２１４を有し、第１の実施の形態の電源接続情報２２３に代えて電源接続規格情報２２４を設けた点に特徴を有している。
【００３１】
第２種ライブラリ３２には電源プラグを所有する機器の電流や消費電力などの電源規格情報を記載する。
【００３２】
電源規格展開手段２１４は、電源プラグ情報２２２に記載されている機器の電流や消費電力などの電源規格情報を第２種ライブラリ３２から取得するとともに、取得した電源規格情報を電源プラグ情報２２２に記載して電源接続規格情報２２４を完成する。
【００３３】
電源接続規格情報２２４には、型名情報２２１に記載されているコンピュータ機器の所有する電源プラグの接続先の情報および電源規格情報が記載されている。コンピュータシステムにおける電源接続では、各機器の電流や消費電力などの電源規格が、接続先の機器の規定に合ったものであるかをチェックする必要がある。電源接続規格情報２２４はこのような電源規格のチェックを容易にするものである。
【００３４】
本実施の形態の電源接続指示システムの動作（電源接続指示方法）を図面を参照して詳細に説明する。図４は本発明の第２の実施の形態にかかる電源接続指示方法を説明するためのフローチャートである。図４を参照すると、まず、ステップＳ２０１〜Ｓ２０８で示される本実施の形態における製品入力手段２１１、電源プラグ展開手段２１２および電源接続手段２１３の動作は、図２に示された実施の形態の各製品入力手段２１１、電源プラグ展開手段２１２および電源接続手段２１３の動作と同一のため説明は省略する。本実施の形態では、電源接続手段２１３によって電源プラグの接続先の情報を電源プラグ情報２２２に記載（ステップＳ２０８）した後、電源規格展開手段２１４はその電源プラグを所有する機器の電源規格情報を第２種ライブラリ３２から検索して取得し（ステップＳ２０９）、取得した電源規格情報を電源プラグ情報２２２に追加記載する（ステップＳ２１０）。電源接続手段２１３および電源規格展開手段２１４は、電源プラグ情報２２２に記載されている全ての電源プラグを読み込み、接続先および電源規格情報を記載して電源接続規格情報２２４を完成する（ステップＳ２１１のｙ→ステップＳ２０６→ステップＳ２０７→ステップＳ２０８→ステップＳ２０９→ステップＳ２１０→ステップＳ２１１→…）。以上説明したように第２の実施の形態によれば、第１の実施の形態に記載の効果と同様の効果を奏する。
【００３５】
なお、本発明が上記各実施の形態に限定されず、本発明の技術思想の範囲内において、各実施の形態は適宜変更され得ることは明らかである。また上記構成部材の数、位置、形状等は上記実施の形態に限定されず、本発明を実施する上で好適な数、位置、形状等にすることができる。また、各図において、同一構成要素には同一符号を付している。
【００３６】
【発明の効果】
本発明は以上のように構成されているので、以下に掲げる効果を奏する。まず第１の効果は、コンピュータ機器の電源接続指示を効率よく行えることである。その理由は、コンピュータ機器の電源プラグの抽出から接続先の決定までの電源接続指示の全ての作業が、自動で行われるからである。そして第２の効果は、コンピュータ機器の電源接続指示のミスが発生しにくいことである。その理由は、全ての電源プラグが自動で抽出されるため指示の漏れがないことと、接続先の自動決定により接続先の選択ミスを防ぐことができるからである。
【図面の簡単な説明】
【図１】本発明の第１の実施の形態にかかる電源接続指示システムを説明するための機能ブロック図である。
【図２】本発明の第１の実施の形態にかかる電源接続指示方法を説明するためのフローチャートである。
【図３】本発明の第２の実施の形態にかかる電源接続指示システムを説明するための機能ブロック図である。
【図４】本発明の第２の実施の形態にかかる電源接続指示方法を説明するためのフローチャートである。
【符号の説明】
１…入力装置
２…データ処理装置
２１１…製品入力手段
２１２…電源プラグ展開手段
２１３…電源接続手段
２１４…電源規格展開手段
２２…電源接続データ
２２１…型名情報
２２２…電源プラグ情報
２２３…電源接続情報
２２４…電源接続規格情報
３…記憶装置
３１…第１種ライブラリ
３２…第２種ライブラリ
４…出力装置
【図１】
0003686780.tif 000005
【図２】
0003686780.tif 000006
【図３】
0003686780.tif 000007
【図４】
0003686780.tif 000008